(57)【要約】  セルラ通信システムは、少なくとも第１のユーザ装置（201）にサービス提供する第１の基地局（205）を有する。基地局（205）は、複数の二重モードに共通する送信フォーマットを使用してユーザ装置（201、203）に基地局の二重機能のメッセージを送信する機能（701、703、704）を有する。第１のユーザ装置（201）は、基地局の二重機能のメッセージを受信するトランシーバ（801）を有する。RACH特性プロセッサ（805）は、基地局の二重機能のメッセージに応じてアクセスメッセージの少なくとも１つの送信特性を決定し、RACH送信コントローラ（807）は、少なくとも１つの送信特性に応じて第１の基地局（205）へのアクセスメッセージの送信を制御する。
2009505538.tif 000002
【特許請求の範囲】
【請求項１】
ユーザ装置をサポートする基地局を有するセルラ通信システムであって、
少なくとも第１のユーザ装置にサービス提供し、共通の送信フォーマットを使用してユーザ装置に基地局の二重機能のメッセージを送信する手段を有する第１の基地局を有し、
前記共通の送信フォーマットは複数の二重モードに共通するセルラ通信システム。
【請求項２】
前記複数の二重モードのうち第１のものは、対の上りリンク及び下りリンク周波数の搬送波を使用する対のスペクトルの二重モードであり、
前記複数の二重モードのうち第２のものは、上りリンク及び下りリンクについて単一の周波数の搬送波を使用する不対のスペクトルの二重モードである、請求項１に記載のセルラ通信システム。
【請求項３】
前記複数の二重モードのうち第１の二重モードは半二重モードであり、
前記複数の二重モードのうち第２の二重モードは全二重モードである、請求項１に記載のセルラ通信システム。
【請求項４】
前記第１及び第２の二重モードは、対のスペクトルの二重モードである、請求項３に記載のセルラ通信システム。
【請求項５】
前記共通の送信フォーマットは、
a.チャネル帯域、
b.符号化率、
c.変調方式、
d.インターリーブ、
e.符号化方式、及び
f.タイミング
を有するグループから１つ以上の共通の送信パラメータを有する、請求項１ないし４のうちいずれか１項に記載のセルラ通信システム。
【請求項６】
前記第１のユーザ装置は、
前記基地局の二重機能のメッセージを受信する手段と、
前記基地局の二重機能のメッセージを１回デコードする手段と
を有する、請求項１ないし５のうちいずれか１項に記載のセルラ通信システム。
【請求項７】
前記第１のユーザ装置は、
前記基地局の二重機能のメッセージに応じてアクセスメッセージの少なくとも１つの送信特性を決定する手段と、
前記少なくとも１つの送信特性を使用して前記第１の基地局に前記アクセスメッセージを送信する手段と
を更に有する、請求項６に記載のセルラ通信システム。
【請求項８】
前記少なくとも１つの送信特性を決定する手段は、前記第１の基地局が不対のスペクトルの二重モード動作のみをサポートすることを前記基地局の二重機能のメッセージが示す場合、前記基地局の二重機能のメッセージの搬送周波数として前記アクセスメッセージの搬送周波数を決定し、前記第１の基地局が対のスペクトルの二重モード動作をサポートすることを前記基地局の二重機能のメッセージが示す場合、前記基地局の二重機能のメッセージの搬送周波数と対になっている周波数として前記搬送周波数を決定するように構成される、請求項７に記載のセルラ通信システム。
【請求項９】
前記第１のユーザ装置は、
前記基地局の二重機能のメッセージに応じて前記第１の基地局の二重機能を決定する手段と、
前記第１のユーザ装置の二重機能と前記第１の基地局の二重機能との間の合致基準を評価する手段と
を有し、
前記第１のユーザ装置は、前記合致基準が満たされた場合にのみ、前記第１の基地局にアクセスメッセージを送信するように構成される、請求項１ないし８のうちいずれか１項に記載のセルラ通信システム。
【請求項１０】
前記第１のユーザ装置は、ユーザ装置の二重機能の特性を前記第１の基地局に送信する手段を有する、請求項１ないし９のうちいずれか１項に記載のセルラ通信システム。
【請求項１１】
前記ユーザ装置の二重機能の特性に応じて前記第１のユーザ装置の通信をスケジューリングするスケジューラを更に有する、請求項１０に記載のセルラ通信システム。
【請求項１２】
前記ユーザ装置の二重機能は、半二重モード又は全二重モードをサポートする前記第１のユーザ装置の機能を示す、請求項１１に記載のセルラ通信システム。
【請求項１３】
前記半二重モード及び前記全二重モードは、対のスペクトルの二重モードである、請求項１２に記載のセルラ通信システム。
【請求項１４】
前記スケジューラは、前記半二重モードでは上りリンク及び下りリンクの時間直交性の制約に従って通信をスケジューリングし、前記全二重モードでは上りリンク及び下りリンクの時間直交性の制約なしに通信をスケジューリングするように構成される、請求項１２又は１３に記載のセルラ通信システム。
【請求項１５】
前記第１のユーザ装置は、アクセスメッセージに前記ユーザ装置の二重機能の特性を含めるように構成される、請求項１０ないし１４のうちいずれか１項に記載のセルラ通信システム。
【請求項１６】
前記第１のユーザ装置は、通信確認メッセージに前記ユーザ装置の二重機能の特性を含めるように構成される、請求項１０ないし１４のうちいずれか１項に記載のセルラ通信システム。
【請求項１７】
前記複数の二重モードに共通の通信方式を使用して呼設定手順をサポートする手段を更に有する、請求項１ないし１６のうちいずれか１項に記載のセルラ通信システム。
【請求項１８】
前記第１の基地局は、二重機能の特性が前記第１のユーザ装置から受信されるまで、半二重動作モードを使用して呼設定処理中に前記第１のユーザと通信するように構成される、請求項１ないし１７のうちいずれか１項に記載のセルラ通信システム。
【請求項１９】
前記第１の基地局は、半二重動作モードを使用して呼設定処理中に前記第１のユーザと通信するように構成され、
前記第１のユーザ装置は、前記第１のユーザから前記第１の基地局への上りリンク送信に使用される時間間隔での下りリンク送信を無視するように構成される、請求項１ないし１８のうちいずれか１項に記載のセルラ通信システム。
【請求項２０】
3GPP技術仕様書（3rd  Generation  Partnership  Project  Technical  Specification）に従った通信をサポートするように構成される、請求項１ないし１９のうちいずれか１項に記載のセルラ通信システム。
【請求項２１】
GSM勧告（Global  System  for  Mobile  communication  system  Recommendation）に従った通信をサポートするように構成される、請求項１ないし２０のうちいずれか１項に記載のセルラ通信システム。
【請求項２２】
ユーザ装置をサポートする基地局を有するセルラ通信システムでの動作方法であって、
第１の基地局が少なくとも第１のユーザ装置にサービス提供し、
前記第１の基地局が複数の二重モードに共通する共通の送信フォーマットを使用してユーザ装置に基地局の二重機能のメッセージを送信することを有する方法。
【請求項２３】
前記複数の二重モードのうち第１のものは、対の上りリンク及び下りリンク周波数の搬送波を使用する対のスペクトルの二重モードであり、
前記複数の二重モードのうち第２のものは、上りリンク及び下りリンクについて単一の周波数を使用する不対のスペクトルの二重モードである、請求項２２に記載の方法。
【請求項２４】
前記共通の送信フォーマットは、
a.チャネル帯域、
b.データレート、
c.変調方式、
d.インターリーブ、
e.符号化方式、及び
f.タイミング
を有するグループから１つ以上の共通の送信パラメータを有する、請求項２２又は２３に記載の方法。
【請求項２５】
前記第１のユーザ装置が、前記基地局の二重機能のメッセージを受信し、
前記基地局の二重機能のメッセージを１回デコードすることを有する、請求項２２ないし２４のうちいずれか１項に記載の方法。
【請求項２６】
前記第１のユーザ装置により、前記基地局の二重機能のメッセージに応じてアクセスメッセージの少なくとも１つの送信特性を決定し、
前記第１のユーザ装置が、前記少なくとも１つの送信特性を使用して前記第１の基地局に前記アクセスメッセージを送信することを更に有する、請求項２５に記載の方法。
【請求項２７】
前記第１のユーザ装置が、前記基地局の二重機能のメッセージに応じて前記第１の基地局の二重機能を決定し、
前記第１のユーザ装置が、前記第１のユーザ装置の二重機能と前記第１の基地局の二重機能との間の合致基準を評価することを更に有し、
前記第１のユーザ装置は、前記合致基準が満たされた場合にのみ、前記アクセスメッセージを送信するように構成される、請求項２２ないし２６のうちいずれか１項に記載の方法。
【請求項２８】
前記第１のユーザ装置が、ユーザ装置の二重機能の特性を前記第１の基地局に送信することを更に有する、請求項２２ないし２７のうちいずれか１項に記載の方法。
【請求項２９】
前記ユーザ装置の二重機能の特性に応じて前記第１のユーザ装置の通信をスケジューリングすることを更に有する、請求項２８に記載の方法。
【請求項３０】
前記セルラ通信システムは、3GPP技術仕様書（3rd  Generation  Partnership  Project  Technical  Specification）に従って動作する、請求項２２ないし２９のうちいずれか１項に記載の方法。
【請求項３１】
前記セルラ通信システムは、GSM勧告（Global  System  for  Mobile  communication  system  Recommendation）に従って動作する、請求項２２ないし３０のうちいずれか１項に記載の方法。
【請求項３２】
ユーザ装置をサポートする基地局を有するセルラ通信システムのユーザ装置の動作方法であって、
複数の二重モードに共通する共通の送信フォーマットを使用して第１の基地局から基地局の二重機能のメッセージを受信し、
前記基地局の二重機能のメッセージを１回デコードすることを有する方法。
【請求項３３】
前記基地局の二重機能のメッセージに応じてアクセスメッセージの少なくとも１つの送信特性を決定し、
前記少なくとも１つの送信特性を使用して前記第１の基地局に前記アクセスメッセージを送信することを更に有する、請求項３２に記載の方法。
【請求項３４】
複数のユーザ装置（UE）をサポートする基地局を有するセルラ通信システムで、少なくとも第１のUEをサポートする基地局であって
共通の送信フォーマットを使用して前記複数のUEに基地局の二重機能のメッセージを送信するロジックを特徴とし、
前記共通の送信フォーマットは複数の二重モードに共通する基地局。
【請求項３５】
前記複数の二重モードのうち第１のものは、対の上りリンク及び下りリンク周波数の搬送波を使用する対のスペクトルの二重モードであり、
前記複数の二重モードのうち第２のものは、上りリンク及び下りリンクについて単一の周波数の搬送波を使用する不対のスペクトルの二重モードである、請求項３４に記載の基地局。
【請求項３６】
前記複数の二重モードのうち第１の二重モードは半二重モードであり、
前記複数の二重モードのうち第２の二重モードは全二重モードである、請求項３４又は３５に記載の基地局。
【請求項３７】
前記第１及び第２の二重モードは、対のスペクトルの二重モードである、請求項３６に記載の基地局。
【請求項３８】
前記共通の送信フォーマットは、
a.チャネル帯域、
b.符号化率、
c.変調方式、
d.インターリーブ、
e.符号化方式、及び
f.タイミング
を有するグループから１つ以上の共通の送信パラメータを有する、請求項３４ないし３７のうちいずれか１項に記載の基地局。
【請求項３９】
ユーザ装置の二重機能の特性を受信する受信機と
前記ユーザ装置の二重機能の特性の受信に応じて前記第１のユーザ装置の通信をスケジューリングするスケジューラと
を更に有する、請求項３４ないし３８のうちいずれか１項に記載の基地局。
【請求項４０】
前記ユーザ装置の二重機能は、半二重モード又は全二重モードをサポートする前記第１のユーザ装置の機能を示す、請求項３９に記載の基地局。
【請求項４１】
前記半二重モード及び前記全二重モードは、対のスペクトルの二重モードである、請求項４０に記載の基地局。
【請求項４２】
前記スケジューラは、前記半二重モードでは上りリンク及び下りリンクの時間直交性の制約に従って通信をスケジューリングし、前記全二重モードでは上りリンク及び下りリンクの時間直交性の制約なしに通信をスケジューリングするように構成される、請求項３９ないし４１のうちいずれか１項に記載の基地局。
【請求項４３】
前記ユーザ装置の二重機能の特性を受信することは、アクセスメッセージで前記ユーザ装置の二重機能の特性を受信することを有する、請求項３９ないし４２のうちいずれか１項に記載の基地局。
【請求項４４】
前記ユーザ装置の二重機能の特性を受信することは、通信確認メッセージで前記ユーザ装置の二重機能の特性を受信することを有する、請求項３９ないし４２のうちいずれか１項に記載の基地局。
【請求項４５】
前記複数の二重モードに共通の通信方式を使用して呼設定手順をサポートするロジックを更に有する、請求項３４ないし４４のうちいずれか１項に記載の基地局。
【請求項４６】
二重機能の特性が前記第１のユーザ装置から受信されるまで、半二重動作モードを使用して呼設定処理中に前記第１のユーザと通信するように構成される、請求項３４ないし４５のうちいずれか１項に記載の基地局。
【請求項４７】
二重機能の特性が前記第１のユーザ装置から受信されるまで、半二重動作モードを使用して呼設定処理中に前記第１のユーザと通信するように構成される、請求項３４ないし４６のうちいずれか１項に記載の基地局。
【請求項４８】
3GPP技術仕様書（3rd  Generation  Partnership  Project  Technical  Specification）に従った通信をサポートするように構成される、請求項３４ないし４７のうちいずれか１項に記載の基地局。
【請求項４９】
GSM勧告（Global  System  for  Mobile  communication  system  Recommendation）に従った通信をサポートするように構成される、請求項３４ないし４８のうちいずれか１項に記載の基地局。
【請求項５０】
セルラ通信システムでの第１のユーザ装置（UE）であって、
共通の送信フォーマットを使用する基地局の二重機能のメッセージを受信するロジックを特徴とし、
前記共通の送信フォーマットは、複数の二重モードに共通する第１のユーザ装置。
【請求項５１】
前記基地局の二重機能のメッセージに応じてアクセスメッセージの少なくとも１つの送信特性を決定するロジックと、
前記少なくとも１つの送信特性を使用して前記第１の基地局に前記アクセスメッセージを送信するロジックと
を更に有する、請求項５０に記載の第１のユーザ装置。
【請求項５２】
前記基地局が不対のスペクトルの二重モード動作のみをサポートすることを前記基地局の二重機能のメッセージが示す場合、前記基地局の二重機能のメッセージの搬送周波数として前記アクセスメッセージの搬送周波数を決定するロジックと、
前記基地局が対のスペクトルの二重モード動作をサポートすることを前記基地局の二重機能のメッセージが示す場合、前記基地局の二重機能のメッセージの搬送周波数と対になっている周波数として前記搬送周波数を決定するロジックと
を更に有する、請求項５１に記載の第１のユーザ装置。
【請求項５３】
前記基地局の二重機能のメッセージに応じて前記基地局の二重機能を決定するロジックと、
前記第１のユーザ装置の二重機能と前記基地局の二重機能との間の合致基準を評価するロジックと
を更に有し、
前記第１のユーザ装置は、前記合致基準が満たされた場合にのみ、前記基地局にアクセスメッセージを送信するように構成される、請求項５０又は５２に記載の第１のユーザ装置。
【請求項５４】
ユーザ装置の二重機能の特性を前記基地局に送信するロジックを更に有する、請求項５０ないし５３のうちいずれか１項に記載の第１のユーザ装置。
【請求項５５】
前記複数の二重モードのうち第１のものは、対の上りリンク及び下りリンク周波数の搬送波を使用する対のスペクトルの二重モードであり、
前記複数の二重モードのうち第２のものは、上りリンク及び下りリンクについて単一の周波数の搬送波を使用する不対のスペクトルの二重モードである、請求項５０ないし５４のうちいずれか１項に記載の第１のユーザ装置。
【請求項５６】
前記複数の二重モードに共通の通信方式を使用して呼設定手順をサポートするロジックを更に有する、請求項５０ないし５５のうちいずれか１項に記載の第１のユーザ装置。
【請求項５７】
呼設定手順の間に、上りリンク送信に使用される時間間隔での下りリンク送信を無視するように構成される、請求項５０ないし５６のうちいずれか１項に記載の第１のユーザ装置。
【請求項５８】
アクセスメッセージに前記ユーザ装置の二重機能の特性を含めるように構成される、請求項５０ないし５７のうちいずれか１項に記載の第１のユーザ装置。
【請求項５９】
通信確認メッセージに前記ユーザ装置の二重機能の特性を含めるように構成される、請求項５０ないし５７のうちいずれか１項に記載の第１のユーザ装置。
【請求項６０】
3GPP技術仕様書（3rd  Generation  Partnership  Project  Technical  Specification）に従った通信をサポートするように構成される、請求項５０ないし５９のうちいずれか１項に記載の第１のユーザ装置。
【請求項６１】
GSM勧告（Global  System  for  Mobile  communication  system  Recommendation）に従った通信をサポートするように構成される、請求項５０ないし６０のうちいずれか１項に記載の第１のユーザ装置。
【発明の詳細な説明】
【技術分野】
【０００１】
本発明は、セルラ通信システムでの二重方式（duplex  operation）に関し、排他的ではないが特に、第３世代セルラ通信システムでの適切な復信方式の選択に関する。
【背景技術】
【０００２】
セルラ通信システムでは、地理的領域は複数のセルに分割され、各セルは、基地局によりサービス提供される。基地局は、基地局間でデータを通信することができる固定ネットワークにより相互接続される。移動局は、移動局が存在するセルの基地局により移動通信リンクを介してサービス提供される。
【０００３】
移動局が移動すると、１つの基地局のサービスエリアから他の基地局のサービスエリア（すなわち、１つのセルから他のセル）に移動することがある。移動局が基地局に向かって移動すると、２つの基地局の重複サービスエリアの領域に入り、この重複領域で、新しい基地局によりサポートされるように変化する。移動局が更に新しいセルに移動すると、新しい基地局によりサポートされるように続く。これは、セル間での移動局のハンドオーバ又はハンドオフとして知られている。
【０００４】
典型的なセルラ通信システムは、典型的には全国にサービスエリアを広げ、数千又は数百万もの移動局をサポートする数百又は数千ものセルを有する。移動局から基地局への通信は上りリンクとして知られ、基地局から移動局への通信は下りリンクとして知られている。
【０００５】
基地局を相互接続する固定ネットワークは、何らかの２つの基地局の間でデータを中継するように動作可能であり、これによって、セルの移動局が他のセルの移動局と通信することを可能にする。更に、固定ネットワークは、PSTN（Public  Switched  Telephone  Network）のような外部ネットワークと相互接続するゲートウェイ機能を有し、これによって、移動局が陸線電話及び陸線により接続された他の通信端末と通信することを可能にする。更に、固定ネットワークは、データを中継する機能、許可制御、リソース割り当て、加入者の課金、移動局の認証等を含み、従来のセルラ通信ネットワークを管理するために必要な機能のほとんどを有する。
【０００６】
現在では、最も遍在しているセルラ通信システムは、GSM（Global  System  for  Mobile  communication）として知られる第２世代セルラ通信システムである。GSM  TDMA通信システムの更なる説明は、Michel  Mouly及びMarie  Bernadette  Pautetによる‘The  GSM  System  for  Mobile  Communications’、Bay  Foreign  Language  Books、1992、ISBN  2950719007にある。
【０００７】
現在では、移動ユーザに提供される通信サービスを更に拡張するために、第３世代システムが展開されている。１つのこのようなシステムは、現在展開されているUMTS（Universal  Mobile  Telecommunication  System）である。CDMAの更なる説明、及び特にUMTSのWCDMA（Wideband  CDMA）モードの更なる説明については、‘WCDMA  for  UMTS’、Harri  Holma（編集）、Antti  Toskala（編集）、Wiley&Sons、2001、ISBN  0471486876にある。第３世代セルラ通信システムは、3GPP（3rd  Generation  Partnership  Project）で標準化されている。
【０００８】
セルラ無線システムでは、ユーザ装置は、無線で１つ（以上）の基地局に帰属する。ユーザ装置は、基地局の信号品質、基地局からシグナリングされるシステム情報（システム情報はネットワークオペレータの識別情報のような情報を有し得る）、ネットワークからのハンドオーバコマンド（基地局は、相対信号品質や基地局でのトラヒック負荷等の問題のため、ユーザ装置を異なるネットワークに帰属させてもよい）等のようなパラメータに従って、基地局に帰属する。
【０００９】
図１は、ユーザ装置が２つの異なるネットワークの基地局に帰属する例を示している。この図面は、２つのネットワークがネットワークによりカバーされる地理的領域の全てのユーザ装置にシステム情報をブロードキャストすることを更に示している。ユーザ装置は、信号強度等だけではなく、このシステム情報でブロードキャストされるネットワーク識別情報に基づいて、基地局に帰属する（従って、第１のネットワークへの加入者は第１のネットワークの基地局のみに帰属し、第２のネットワークの加入者は第２のネットワークの加入者のみに帰属する）。図１の点線は、ユーザ装置と基地局との間の帰属を示している。
【００１０】
3GPPでは、一般的に、帰属するセルを検索するユーザ装置は、特定の品質基準（信号強度等）を満たす予め構成されたリストからのセルに帰属しようとする。例えば、ユーザ装置は、適切な候補セルの可能な周波数の予め構成されたリストを有してもよい（これらの周波数は、SIM（Subscriber  Identity  Module）にプログラムされてもよく、SIMにより、オペレータはユーザ装置がそのネットワークオペレータに属する周波数のみを検索するようにカスタマイズすることが可能になる）。ユーザ装置が適切なセルを特定すると、これにキャンピングし（camp）、予め構成されたリストから下りリンク周波数を抽出する。
【００１１】
3GPP仕様は、3GPPのFDD（Frequency  Duplex  Division）モードでは上りリンク及び下りリンクの周波数が明白な関係に従って対になることを指定する。下りリンクメッセージで上りリンク周波数をシグナリングする方法もまた、新しい周波数帯域への3GPPの拡張について検討されている（例えば、技術勧告TR25.889）。従って、下りリンク周波数がわかると、上りリンク周波数もわかる。
【００１２】
3GPPのTDD（Time  Division  Duplex）モードでは、上りリンク及び下りリンクに単一の周波数のみが使用され、これらの間の分離は、時間ドメインで実現される。従って、TDDは、同じ周波数が双方向で使用される不対のスペクトル手法を利用する。このようなシステムでは、基地局は、ランダムアクセスチャネルの特性を有するシステム情報をブロードキャストし、特に、この情報は、RACH（Random  Access  CHannel）伝送が送信されるタイムスロット番号、RACHに使用されるチャネリゼーションコード等を有する。
【００１３】
FDDモードでは、送信されるシステム情報は、RACHプリアンブル及び利用可能なシグニチャ系列の詳細のような情報を有する。ユーザ装置がランダムアクセスチャネルのメッセージを送信したいと思うと、12タイムスロットの長さのシグニチャ系列を送信する。プリアンブルの肯定応答を受信すると、ユーザ装置は、15タイムスロット又は30タイムスロットの持続時間のRACHメッセージを送信する（すなわち、１つ又は２つの全体フレームのRACHを送信する）。
【００１４】
セルラ通信システムでは、異なる二重モードが使用され得る。特に、以下の２つの広い分類が使用され得る。
・全二重（FD：Full  Duplex）モード。全二重モードでは、基地局及びユーザ装置は同時に送信することができる。従って、上りリンク及び下りリンク送信は、単一のユーザ装置について同時に生じてもよい。上りリンクと下りリンクとの間の直交化は、１つの周波数での送信に上りリンクを割り当て、他の周波数での送信に下りリンクを割り当てることにより実現される。従って、全二重モードは、対のスペクトル手法を使用する。
・半二重（HD：Half  Duplex）モード。半二重モードでは、基地局からユーザ装置への送信は、決してユーザ装置から基地局への送信と同時に生じない。従って、単一のユーザ装置について、上りリンク及び下りリンク送信は同時にはならない。上りリンク送信と下りリンク送信との直交化は、具体的には、あるタイムスロットに上りリンク送信を割り当て、他のタイムスロットに下りリンク送信を割り当てることにより、維持され得る。半二重モードは、対のスペクトル割り当て及び不対のスペクトル割り当ての双方で使用可能である。
○不対のスペクトル。不対のスペクトルは、上りリンク送信及び下りリンク送信の双方で単一の搬送波を使用し、これらは時間で分離される。ユーザ装置と基地局との双方は、厳密に半二重モードで動作する。すなわち、ユーザ装置と基地局との双方は、搬送周波数で送信と受信とのうち一方を行うが、送信及び受信を同時に行わない。
○対のスペクトル。対のスペクトルは、上りリンク及び下りリンクについて異なる周波数の搬送波を使用する。従って、上りリンク及び下りリンクは、周波数ドメインで分離され、個々のユーザについては、半二重動作モードによって時間ドメインで分離される。ユーザ装置は厳密な半二重モードで動作し、送信と受信とのうち一方を行う。基地局は、何らかの１つのユーザ装置に関して半二重モードで動作する。すなわち、各ユーザ装置に対して送信と受信とのうち一方を行うが、同時に送信及び受信を行うことができる。具体的には、基地局は、他のユーザ装置から受信している間に１つのユーザ装置に送信してもよいが、同じユーザ装置について同時に送信及び受信を行わない。
【発明の開示】
【発明が解決しようとする課題】
【００１５】
対／不対のスペクトルと半二重／全二重モードとを含む異なる二重方式の使用は、高度の柔軟性を提供し、システムが様々な嗜好及び要件を満たすように設計されることを可能にする。しかし、従来のシステムはまた、複数の欠点を有する。
【００１６】
例えば、基地局及びユーザ装置は相互に互換性がある必要があり、従って、同じ二重機能を使用する必要がある。例えば、基地局は、基地局により使用される二重方式と互換性のあるような方法でシステム情報を送信してもよく、これは、同じ二重方式を使用するユーザ装置により受信されてデコードされ得る。しかし、ユーザ装置が異なる二重方式を使用する場合、送信を受信することができず、従って、基地局に帰属することができない。
【００１７】
複数の異なる二重機能をサポートすることができるユーザ装置が知られている。このようなユーザ装置は、帰属しようとする基地局にとって適切な二重方式を決定するために、サポートすることができる全ての二重方式を監視しなければならない。このような手法は柔軟性がなく、高度な装置の複雑性と複雑な動作とを生じる。
【００１８】
更に、既知の手法は、基地局及びユーザ装置の二重機能の完全な活用を可能にしない。例えば、ネットワークによるスケジューリングは、性能を最適化するために複数の異なる二重機能に柔軟に適合し、これらの間を選択することを可能にしないことがある。
【００１９】
従って、改善したシステムが有利であり、特に、柔軟性の増加、二重機能の活用の改善、適合の改善、複雑性の低減、動作の容易性、互換性の改善、及び／又は性能の改善を可能にするシステムが有利である。
【００２０】
従って、本発明は、好ましくは、１つ以上の前述の欠点を、単独で又は何らかの組み合わせで緩和、軽減又は除去することを目的とする。
【課題を解決するための手段】
【００２１】
本発明の第１の態様によれば、ユーザ装置をサポートする基地局を有するセルラ通信システムが提供され、セルラ通信システムは、少なくとも第１のユーザ装置にサービス提供し、共通の送信フォーマットを使用してユーザ装置に基地局の二重機能のメッセージを送信する手段を有する第１の基地局を有し、共通の送信フォーマットは複数の二重モードに共通する。
【００２２】
本発明により、セルラ通信システムでの性能の改善が可能になる。二重機能の活用の改善も実現され得る。異なる二重機能を有する装置の相互作用及び／又は共存の改善も実現され得る。特に、ユーザのセル帰属の容易性も実現され得る。例えば、基地局の二重機能の情報の単一の監視が実行され、異なる二重モードの異なる送信を個々に監視する要件は除去又は低減されてもよい。
【００２３】
本発明の任意選択の特徴によれば、複数の二重モードのうち第１のものは、対の上りリンク及び下りリンク周波数の搬送波を使用する対のスペクトルの二重モードであり、複数の二重モードのうち第２のものは、上りリンク及び下りリンクについて単一の周波数を使用する不対のスペクトルの二重モードである。
【００２４】
本発明により、対及び不対のスペクトルの二重モードを使用するシステムで性能の改善が可能になり得る。対のスペクトルの二重モードを使用する装置と不対のスペクトルの二重モードを使用する装置との間の相互作用又は共存の改善及び／又は容易性も実現され得る。対のスペクトルの二重モードは、上りリンク送信について１つの周波数を利用し、下りリンク送信について異なる対の周波数を利用してもよい。不対のスペクトルの二重モードは、上りリンク送信及び下りリンク送信の双方について同じ周波数の搬送波を使用してもよい。
【００２５】
本発明の任意選択の特徴によれば、複数の二重モードのうち第１の二重モードは半二重モードであり、複数の二重モードのうち第２の二重モードは全二重モードである。
【００２６】
本発明により、半二重及び全重モードの双方を使用するシステムで性能の改善が可能になり得る。半二重モードを使用する装置と全二重モードを使用する装置との間の相互作用又は共存の改善及び／又は容易性も実現され得る。半二重モードでは、上りリンク及び下りリンク送信は、個々のユーザ装置では同一に生じない。全二重モードでは、上りリンク及び下りリンク送信は、同じ個々のユーザ装置で同一に生じてもよい。
【００２７】
本発明の任意選択の特徴によれば、第１及び第２の二重モードは、対のスペクトルの二重モードである。
【００２８】
本発明により、半二重及び全二重の双方の対のスペクトル通信を使用する通信システムで、性能の改善が可能になり得る。例えば、対のスペクトル通信を利用するあるユーザ装置は、同時に受信及び送信することができてもよいが、他のユーザ装置は、このようなことができなくてもよい。このようなシステムでは、個々の最適化が提供され得る。
【００２９】
本発明の任意選択の特徴によれば、共通の送信フォーマットは、a.チャネル帯域、b.符号化率、c.変調方式、d.インターリーブ、e.符号化方式、及びf.タイミングを有するグループから１つ以上の共通の送信パラメータを有する。
【００３０】
このことにより、複雑性の低減及び／又は動作の容易性が可能になり得る。特に、ある実施例では、ユーザ装置について簡単な受信動作が実現され、複雑性の低減及び／又は処理リソース要件の低減を生じ得る。
【００３１】
本発明の任意選択の特徴によれば、第１のユーザ装置は、基地局の二重機能のメッセージを受信する手段と、基地局の二重機能のメッセージに応じてアクセスメッセージの少なくとも１つの送信特性を決定する手段と、少なくとも１つの送信特性を使用して第１の基地局にアクセスメッセージを送信する手段とを有する。
【００３２】
このことにより、セルラ通信システムで性能の改善が可能になり得る。この特徴により、ユーザ装置は、基地局の二重機能に適合することが可能になり得る。特に、ユーザ装置は、相応して送信特性を選択することにより、異なる可能性のある二重モードの間を選択してもよい。
【００３３】
本発明の任意選択の特徴によれば、少なくとも１つの送信特性を決定する手段は、第１の基地局が不対のスペクトルの二重モード動作のみをサポートすることを基地局の二重機能のメッセージが示す場合、基地局の二重機能のメッセージの搬送周波数としてアクセスメッセージの搬送周波数を決定し、第１の基地局が対のスペクトルの二重モード動作をサポートすることを基地局の二重機能のメッセージが示す場合、基地局の二重機能のメッセージの搬送周波数と対になっている周波数として搬送周波数を決定するように構成される。
【００３４】
このことにより、性能の改善及び／又は動作の容易性が可能になり得る。この特徴は、基地局の二重機能にユーザ装置を適合する実用的な手段を提供し得る。
【００３５】
本発明の任意選択の特徴によれば、第１のユーザ装置は、基地局の二重機能のメッセージに応じて第１の基地局の二重機能を決定する手段と、第１のユーザ装置の二重機能と第１の基地局の二重機能との間の合致基準を評価する手段とを有し、第１のユーザ装置は、合致基準が満たされた場合にのみ、第１の基地局にアクセスメッセージを送信するように構成される。
【００３６】
例えば、合致基準は、第１の基地局及び第１のユーザ装置の二重機能が互換性があるか否かを決定してもよい。この特徴により、同じシステムに異なる二重機能を有する装置の共存を容易にすることにより、性能の改善が可能になり得る。例えば、この特徴は、ユーザ装置が、互換性のある二重モードを使用して通信することができる基地局のみに帰属することを確保し得る。
【００３７】
本発明の任意選択の特徴によれば、第１のユーザ装置は、ユーザ装置の二重機能の特性を第１の基地局に送信する手段を有する。
【００３８】
このことにより、性能が改善し、基地局及び固定ネットワークが第１のユーザ装置の二重機能に対して最適化及び適合することが可能になり得る。
【００３９】
本発明の任意選択の特徴によれば、セルラ通信システムは、ユーザ装置の二重機能の特性に応じて第１のユーザ装置との通信をスケジューリングするスケジューラを更に有する。
【００４０】
このことにより、スケジューリングの改善及び／又は第１のユーザ装置の二重機能の最適化が可能になり得る。スケジューリングの改善も実現され、リソース利用の改善を生じ、従って、全体としてセルラ通信システムの性能の改善を生じ得る。
【００４１】
本発明の任意選択の特徴によれば、ユーザ装置の二重機能は、半二重モード又は全二重モードをサポートする第１のユーザ装置の機能を示す。半二重モード及び全二重モードは、対のスペクトルの二重モードでもよい。
【００４２】
このことにより、ユーザ装置の半二重又は全二重モードの特性に応じて最適化の改善が可能なり得る。特に、対のスペクトルの二重モードは、半二重モード及び全二重モードの双方を有してもよく、性能（特にスケジューリング動作）が現在使用されている特定のモードについて最適化され得る。
【００４３】
本発明の任意選択の特徴によれば、スケジューラは、半二重モードでは上りリンク及び下りリンクの時間直交性の制約に従って通信をスケジューリングし、全二重モードでは上りリンク及び下りリンクの時間直交性の制約なしに通信をスケジューリングするように構成される。
【００４４】
このことにより、ユーザ装置の特定の制約を考慮したスケジューリングの改善が可能になり、これにより、スケジューリング性能が現在の状況に最適化されることが可能になる。このことは、リソース使用を低減し、全体としての通信システムの性能を改善し得る。
【００４５】
本発明の任意選択の特徴によれば、第１のユーザ装置は、アクセスメッセージにユーザ装置の二重機能の特性を含めるように構成される。
【００４６】
このことは、ユーザ装置の二重機能を第１の基地局に通信する実用的な、複雑性の低い及び／又は効率的な手段を提供し得る。例えば、アクセスメッセージは、RACHトランスポートチャネルで伝達される3GPP  RRC  CONNECTION  REQUESTメッセージでもよく、3GPPから発展したシステムの同等のメッセージでもよい。
【００４７】
本発明の任意選択の特徴によれば、第１のユーザ装置は、通信確認メッセージにユーザ装置の二重機能の特性を含めるように構成される。
【００４８】
このことは、ユーザ装置の二重機能を第１の基地局に通信する実用的な、複雑性の低い及び／又は効率的な手段を提供し得る。例えば、アクセスメッセージは、RACHトランスポートチャネルで伝達される3GPP  RRC  CONNECTION  SETUP  COMPLETEメッセージでもよく、3GPPから発展したシステムの同等のメッセージでもよい。
【００４９】
本発明の任意選択の特徴によれば、セルラ通信システムは、複数の二重モードに共通の通信方式を使用して呼設定手順をサポートする手段を更に有する。
【００５０】
このことにより、呼設定の改善及び／又は容易性が可能になり得る。特に、異なる二重モードで共通の呼設定手順が可能になり、これにより、特定の二重モードへの特別の適合が遅延することが可能になり得る。例えば、通信方式は、共通の送信フォーマットに従ってもよい。特に、ユーザ装置は、複数の二重モードに共通のシグナリングチャネルを使用して新しい呼設定を要求又は開始してもよい。
【００５１】
本発明の任意選択の特徴によれば、第１の基地局は、二重機能の特性が第１のユーザ装置から受信されるまで、半二重動作モードを使用して呼設定処理中に第１のユーザと通信するように構成される。
【００５２】
このことにより、実用的な及び／又は容易な及び／又は改善した呼設定手順が可能になり得る。
【００５３】
本発明の任意選択の特徴によれば、第１の基地局は、半二重動作モードを使用して呼設定処理中に第１のユーザと通信するように構成され、第１のユーザ装置は、第１のユーザから第１の基地局への上りリンク送信に使用される時間間隔での下りリンク送信を無視するように構成される。
【００５４】
このことは動作を容易にし、及び／又は複雑性を低減する。
【００５５】
本発明の任意選択の特徴によれば、セルラ通信システムは、3GPP技術仕様書（3rd  Generation  Partnership  Project  Technical  Specification）に従った通信をサポートするように構成される。
【００５６】
本発明は、3GPPセルラ通信システム及び3Gから進化したシステムの性能を改善し得る。
【００５７】
本発明の任意選択の特徴によれば、セルラ通信システムは、GSM勧告（Global  System  for  Mobile  communication  system  Recommendation）に従った通信をサポートするように構成される。
【００５８】
本発明は、GSMセルラ通信システムの性能を改善し得る。
【００５９】
本発明の他の態様によれば、ユーザ装置をサポートする基地局を有するセルラ通信システム用の基地局が提供され、基地局は、共通の送信フォーマットを使用してユーザ装置に基地局の二重機能のメッセージを送信する手段を有し、共通の送信フォーマットは複数の二重モードに共通する。
【００６０】
本発明の他の態様によれば、ユーザ装置をサポートする基地局を有するセルラ通信システム用のユーザ装置が提供され、ユーザ装置は、第１の基地局から基地局の二重機能のメッセージを受信する手段と、基地局の二重機能のメッセージに応じてアクセスメッセージの少なくとも１つの送信特性を決定する手段と、少なくとも１つの送信特性を使用して第１の基地局にアクセスメッセージを送信する手段とを有する。
【００６１】
本発明の他の態様によれば、ユーザ装置をサポートする基地局を有するセルラ通信システムでの動作方法が提供され、この方法は、第１の基地局が少なくとも第１のユーザ装置にサービス提供し、第１の基地局が複数の二重モードに共通する共通の送信フォーマットを使用してユーザ装置に基地局の二重機能のメッセージを送信することを有する。
【００６２】
本発明の他の態様によれば、ユーザ装置をサポートする基地局を有するセルラ通信システムのユーザ装置の動作方法が提供され、この方法は、第１の基地局から基地局の二重機能のメッセージを受信し、基地局の二重機能のメッセージに応じてアクセスメッセージの少なくとも１つの送信特性を決定し、少なくとも１つの送信特性を使用して第１の基地局にアクセスメッセージを送信することを有する。
【発明を実施するための最良の形態】
【００６３】
本発明の前記及び他の態様、特徴及び利点は、以下に説明する実施例から明らかになり、これを参照して説明する。
【００６４】
本発明の実施例について、図面を参照して一例のみとして説明する。
【００６５】
以下の説明は、異なる二重機能を有する基地局を有する3GPPセルラ通信システムに適用可能な本発明の実施例に焦点を当てる。しかし、本発明はこの用途に限定されず、例えばGSM（Global  System  for  Mobile  communication  system）を含む多数の他のセルラ通信システムにも適用され得ることがわかる。
【００６６】
図２は、本発明の実施例が使用され得る3GPP  UMTSセルラ通信システムの例を示している。
【００６７】
図２の例では、第１のユーザ装置201及び第２のユーザ装置203は、第１の基地局205によりサポートされる第１のセルにある。
【００６８】
ユーザ装置は、例えば、第３世代のユーザ装置（UE）、通信ユニット、加入者ユニット、移動局、通信端末、携帯情報端末、セルラ電話、ラップトップコンピュータ、組み込み式通信プロセッサ、又はセルラ通信システムの無線インタフェースで通信することができる何らかの物理的、機能的若しくは論理的通信要素でもよい。
【００６９】
第１の基地局205は、第１のRNC207に結合される。RNCは、無線リソース管理と適切な基地局へ及び適切な基地局からのデータの中継とを含み、無線インタフェースに関する多くの制御機能を実行する。
【００７０】
第１のRNC207は、コアネットワーク209に結合される。コアネットワークは、RNCを相互接続し、何らかの２つのRNCの間でデータを中継するように動作可能であり、これによって、セルのユーザ装置が他のセルのユーザ装置と通信することを可能にする。更に、コアネットワークは、PSTN（Public  Switched  Telephone  Network）のような外部ネットワークに相互接続するゲートウェイ機能を有し、これによって、ユーザ装置が陸線電話及び陸線により接続された他の通信端末と通信することを可能にする。更に、コアネットワークは、データを中継する機能、許可制御、リソース割り当て、加入者の課金、移動局の認証等を含み、従来のセルラ通信ネットワークを管理するために必要な機能のほとんどを有する。
【００７１】
コアネットワーク209は、第２の基地局213に結合された第２のRNC211に更に結合される。第２の基地局213は、第３のユーザ装置215をサポートする。
【００７２】
図１のシステムでは、基地局は異なる機能を有する。具体的には、ある基地局は、TDD動作モードをサポートするように構成されてもよく、この場合、単一の搬送周波数が上りリンク及び下りリンクの双方に使用される。他の基地局は、RDD動作モードをサポートするように構成されてもよく、この場合、対のスペクトルの搬送波が上りリンク及び下りリンクに使用される。従って、ある基地局は対のスペクトルでFDDを使用するが、他の基地局は、TDD動作で不対のスペクトルを使用してもよい。
【００７３】
対のスペクトルシステムで使用される周波数の例が図３に示されている。この図面では、上りリンク送信は、周波数範囲2550〜2560MHzで送信され、下りリンク送信は、周波数範囲2670〜2680MHzで送信される。この対のスペクトルは、全二重モード又は半二重モードで使用され得る。
【００７４】
不対のスペクトルシステムで使用される周波数の例が図４に示されている。この例では、上りリンク及び下りリンク送信の双方は、周波数範囲2595〜2605MHzで送信される。この不対のスペクトルは、半二重モードで使用され得る。
【００７５】
システムに帰属するユーザ装置は、まず、適切な基準（信号強度、ネットワーク識別情報等）に基づいて最も適切な基地局を特定しようとする。帰属する適切な基地局を選択すると、ユーザ装置は、その基地局に帰属するユーザ装置の希望をネットワークに通知するメッセージを、選択された基地局に送信する。この接続要求型メッセージは、典型的にはランダムアクセスチャネル（RACH）で送信される。3GPPシステムでは、“RRC  CONNECTION  REQUEST”がこの目的に使用される。このメッセージは、設定される接続に影響を与える詳細を有する。接続要求メッセージは、例えば以下のような情報を有してもよい。
・ユーザ装置識別情報（IMSI（International  Mobile  Subscriber  Identity:）等）
・信号測定（受信ビーコン信号レベル等）
ネットワークは、接続設定メッセージで通信要求メッセージに応答する。3GPPシステムでは、“RRC  CONNECTION  SETUP”メッセージが通信設定メッセージと考えられてもよい。通信設定メッセージは、例えば以下のような情報を有してもよい。
・ユーザ装置の一時的識別情報
・上りリンク及び下りリンク無線ベアラの詳細
・ページングに使用されるパラメータの詳細
ユーザ装置は、接続設定完了メッセージで通信設定メッセージに応答する。3GPPでは、このメッセージは“RRC  CONNECTION  SETUP  COMPLETE”メッセージに対応してもよい。接続設定完了メッセージは、例えば以下のような情報を有してもよい。
・ユーザ装置機能（例えば、ユーザ装置によりサポート可能なデータレート、ユーザ装置がサポートする機能等）
・セキュリティに関する情報
3GPPシステムでは、典型的には、適切なサービングセル（serving  cell）を検索するユーザ装置は、予め構成されたリストに格納された複数の搬送周波数を監視する。次に、現在の状況で最善の信号を提供する基地局を選択する。
【００７６】
3GPPシステムでは、基地局は、使用されるランダムアクセスチャネルの情報を有するシステム情報をブロードキャストする。この情報は、適切なランダムアクセス要求を選択して構成するために使用される。しかし、従来のシステムでは、異なる二重方法は別々に独立して扱われる。
【００７７】
具体的には、TDDの不対のスペクトルの二重モードを使用するユーザ装置は、このシグナリング情報をデコードし、RACH送信に使用されるタイムスロット番号とチャネリゼーションコードとを決定するためにこれを使用する。適切な送信周波数は、システム情報を受信するために使用された周波数と同じものとして直接決定される。
【００７８】
FDDの対のスペクトルの二重モードを使用するユーザ装置では、システム情報は、使用されるRACHプリアンブルと利用可能なシグニチャ系列の詳細のような情報を有する。ユーザ装置がランダムアクセスチャネルのメッセージを送信したいと思うと、12タイムスロットの長さのシグニチャ系列を送信する。プリアンブルへの肯定応答を受信すると、ユーザ装置は、15タイムスロット又は30タイムスロットの持続時間のRACHを送信する（すなわち、１つ又は２つの全体フレームのRACHを送信する）。
【００７９】
更に、3GPP仕様は、上りリンク及び下りリンク周波数の間の関係を明白に指定する。従って、ユーザ装置は、システム情報が受信された下りリンク周波数から対の上りリンク周波数を直接計算することができる。
【００８０】
図５は、TDD動作での適切なランダムアクセスチャネルを決定する方法を示しており、図６は、FDD動作での適切なランダムアクセスチャネルを決定する方法を示している。
【００８１】
従来のシステムでは、異なる二重モードは異なるアクセス手順を有しており、適切なRACH特性の決定は、ユーザ装置及び基地局が使用する特定の二重モードに依存する。具体的には、FDD及びTDDの双方の基地局にアクセスすることができるユーザ装置は、これらの基地局を独立して検索しなければならない。従って、ユーザ装置は、まず、FDDシステム情報を監視し、適切なFDDアクセスチャネルを決定するためにこれを使用しなければならず、次に、TDDシステム情報を監視し、適切なTDDアクセスチャネルを決定するためにこれを使用しなければならない。これは、複雑で低速でリソース要求の厳しい不便なアクセス手法を生じる。
【００８２】
図２のシステムでは、第１の基地局205は、異なる二重モードに共通する送信フォーマットを使用して、基地局の二重機能のメッセージをユーザ装置201、203に送信する機能を有する。具体的には、第１の基地局205が対のスペクトルを使用する基地局であるか不対のスペクトルを使用する基地局であるかに拘らず、基地局が全二重をサポートすることができるか半二重のみをサポートすることができるかに拘らず、第１の基地局205は、同じ送信フォーマットを使用してシステム情報を送信する。具体的には、TDD及びFDD基地局は、同じ周波数で同じ送信方式を使用してシステム情報を送信することができる。
【００８３】
二重機能のメッセージは、何の二重モードが第１の基地局205によりサポートされるかについての情報を提供する。従って、二重機能のメッセージは、基地局が対／不対のスペクトル及び／又は全二重／半二重モードをサポートすることができるか否かを示し得る。二重機能のメッセージは、対及び不対の動作の双方に共通する信号構成を使用して送信される。
【００８４】
図７は、図２の第１の基地局205を詳細に示している。基地局205は、二重データ生成器701を有し、二重データ生成器701は送信コントローラ703に結合され、送信コントローラ703はトランシーバ705に結合される。
【００８５】
二重データ生成器701は、基地局205によりブロードキャストされる二重情報を生成する。特に、二重情報は、基地局が対又は不対のスペクトルを使用する基地局であるか否かを特定する。基地局が対のスペクトルを使用する場合、二重情報は、基地局が半二重モードのユーザ装置をサポートすることができるか、全二重モードのユーザ装置をサポートすることができるか、半二重及び全二重モードの双方のユーザ装置をサポートすることができるかを更に示す。
【００８６】
二重データは、ブロードキャストされる適切なシステム情報メッセージにデータを埋め込む送信コントローラ703に送信される。送信コントローラ703は、他の機能エンティティから受信して他の目的でブロードキャストされるデータと二重データとを結合してもよい。従って、送信コントローラ703は、ブロードキャストシステム情報メッセージを生成し、適切なチャネルでこのメッセージをブロードキャストするようにトランシーバ705を制御する。
【００８７】
特に、送信コントローラ703は、システム情報ブロードキャストメッセージの形式で二重機能のメッセージをブロードキャストするようにトランシーバを制御する。送信コントローラ703はまた、メッセージに使用される送信フォーマットも制御する。基地局が何の二重機能を有するかに拘らず、同じ送信フォーマットが使用される。従って、送信コントローラ703は、基地局205の特定の二重機能に拘らず、同じタイムスロットで同じ搬送周波数を使用して二重機能のメッセージを送信するようにトランシーバを制御する。更に、ブロードキャストメッセージは、同じ拡散コード、変調方式、誤り訂正方式、チャネル帯域、データレート、インターリーブ方式及び他の送信パラメータを使用して送信される。
【００８８】
従って、ユーザ装置201、203は、基地局205の二重機能を決定するために、既知の所定のパラメータを備えた単一のメッセージを受信しさえすればよい。
【００８９】
システムに帰属しようとする第１のユーザ装置201は、受信した二重機能のメッセージをデコードし、適切なアクセスチャネル及びアクセス送信方式を決定するために結果の情報を使用することができる。更に、第１のユーザ201は、第１のユーザ装置201の機能が第１の基地局205の機能と互換性があるか否かを決定するために、受信した二重機能の情報を使用してもよい。
【００９０】
図８は、第１のユーザ装置201を詳細に示している。ユーザ装置201は、トランシーバ801を有する。トランシーバ801は、第１の基地局205からの二重機能のメッセージを監視するように動作可能である。具体的には、トランシーバ801は、二重機能のメッセージを伝達する通信チャネルに使用される所定のタイムスロットで所定の搬送周波数を受信する。例えば、二重機能のメッセージは、トランシーバ801により監視されて受信されるシステム情報メッセージに含まれてもよい。
【００９１】
異なる二重モードに同じ送信フォーマットが使用されるため、基地局205により何の二重モードが使用されるかに拘らず、トランシーバ801は、単に単一のチャネルを監視すればよい。トランシーバ801は、互換性プロセッサ803に結合され、二重機能のメッセージがトランシーバ801により受信されたときに、これが互換性プロセッサ803に転送される。
【００９２】
互換性プロセッサ803は、第１のユーザ装置201と第１の基地局205との二重機能の合致基準を評価するように構成される。
【００９３】
特に、互換性プロセッサ803は、何の二重モードが基地局により使用されるかを決定し、ユーザ装置201によりサポート可能な二重モードとこれとを比較してもよい。基地局205によりサポート可能な二重モードの全てが第１のユーザ装置201によりサポートできない場合、互換性プロセッサ803は、合致基準が満たされないことを決定し、ユーザ装置に第１の基地局205を断念させ、帰属する他の適切な基地局を検索させる。
【００９４】
第１のユーザ装置201及び第１の基地局205が同じ二重モードをサポートすることができる場合、互換性プロセッサ803は、ユーザ装置201に第１の基地局205に帰属する準備をさせる。
【００９５】
例えば、二重機能のメッセージは、基地局205が不対のスペクトルを使用することを示してもよい。第１のユーザ装置201が対のスペクトルのみをサポートすることができる場合、第１の基地局205がユーザ装置201をサポートすることができないため、互換性プロセッサ803は、他の基地局を検索するようにユーザ装置201を制御する。しかし、第１のユーザ装置201がまた不対のスペクトルもサポートする場合、第１の基地局205は第１のユーザ装置201をサポートすることができ、互換性プロセッサ803は、第１の基地局205にアクセスするためにユーザ装置201を準備する。
【００９６】
この例では、互換性プロセッサ803は、RACH特性プロセッサ805に結合される。互換性プロセッサ803が互換性のある基地局を特定すると、RACH特性プロセッサ805はこれを通知される。これに応じて、RACH特性プロセッサ805は、第１の基地局205にアクセスするために使用する適切な特性を決定するように進む。
【００９７】
特に、RACH特性プロセッサ805は、使用する適切なRACHチャネルを特定する。これは、特定された二重フォーマットを使用して第１の基地局にアクセスするために使用する適切な周波数及びタイミングを決定することを有する。
【００９８】
特定の例では、ユーザ装置201は、対及び不対のスペクトルモードをサポートすることができる結合したTDD及びFDDユーザ装置である。この例では、RACH  特性プロセッサ805は、特定された基地局が対のスペクトルを使用するか不対のスペクトルを使用するかを決定する。基地局205が対のスペクトルを使用する場合、何らかの上りリンクRACHの試行に使用される搬送周波数は、下りリンク周波数スペクトルでシステム情報を送信するために使用される搬送周波数と対になる上りリンク周波数スペクトルの搬送周波数として決定される。しかし、基地局205が不対のスペクトルを使用する場合、上りリンクRACHの試行の搬送周波数は、システム情報の下りリンクブロードキャストに使用される搬送周波数として決定される。
【００９９】
搬送周波数以外のRACHチャネルの他のパラメータ及び特性が決定されてもよいことがわかる。例えば、適切なタイミング、拡散コード、シグニチャ、又は他のパラメータが更に又は代替として決定されてもよい。
【０１００】
RACH特性プロセッサ805は、RACH送信コントローラ807に結合され、RACH送信コントローラ807は、アクセスメッセージのためにRACH特性プロセッサ805により決定される送信特性を供給される。RACH送信コントローラ807は、トランシーバ801に結合され、決定された送信特性を使用してアクセスメッセージの送信を制御する。具体的には、RACH送信コントローラ807は、アクセスメッセージを生成し、適切な時間にこれをトランシーバに供給する。更に、トランシーバにより適用される送信パラメータ（適切な搬送周波数等）を制御してもよい。
【０１０１】
従って、第１のユーザ装置201は、第１のユーザ装置201によりサポートされる各二重モードの独立した監視及び帰属を必要とせずに、第１の基地局205の二重機能に自動的に適合することができる。むしろ、如何なる基地局についても共通の処理及び機能が使用され、これによって、ユーザ装置201の複雑性及び処理負荷を低減し得る。
【０１０２】
図８の例では、第１のユーザ装置801は、ユーザ装置201の二重機能の情報を第１の基地局205に送信する機能を更に有する。
【０１０３】
特に、RACH送信コントローラ807は、二重機能プロセッサ809に結合され、二重機能プロセッサ809は、ユーザ装置201の二重機能を示す二重データを生成し、基地局205への送信のために、これをRACH送信コントローラ807に供給するように構成される。
【０１０４】
特に、二重機能の情報は、アクセスメッセージ自体で第１の基地局205に送信されてもよい。代替として又は更に、二重機能の情報は、呼設定手順の他のメッセージで送信されてもよい。例えば、二重機能の情報は、第１の基地局205からの呼設定メッセージに応じて第１のユーザ装置201から第１の基地局205に送信される通信完了メッセージで送信されてもよい。
【０１０５】
第１のユーザ装置201からの二重機能の情報は、ユーザ装置201によりサポート可能な二重モードを指定し得る。特に、二重機能の情報は、ユーザ装置が対及び／又は不対のスペクトル動作をサポートすることができるか否を指定してもよい。更に又は代替として、二重機能の情報は、ユーザ装置201が半二重及び／又は全二重動作をサポートすることができるか否かを指定してもよい。
【０１０６】
特定の例として、セルラ通信システムは、半二重動作のみをサポートすることができる対のスペクトル構成で動作するいくつかのユーザ装置を有してもよいが、対のスペクトル構成で動作する他のユーザ装置は、上りリンク及び下りリンク送信が個々のユーザ装置について同時に生じ得る全二重をサポートしてもよい。このようなシステムでは、ユーザ装置から送信される二重機能の情報は、全二重モードをサポートすることができるか否か、又は半二重モードのみをサポートすることができるか否かを示してもよい。
【０１０７】
ユーザ装置201から受信した二重機能の情報は、性能を拡張し、ユーザ装置の現在の二重機能を最適化するためにシステムにより使用され得る。例えば、ユーザ装置のスケジューリングは、二重機能の情報が考慮されるように実行されてもよい。例えば、半二重モードのみをサポートすることができるユーザ装置では、スケジューリングは、上りリンク及び下りリンク送信が個々のユーザ装置について同時に生じないように実行され得るが、全二重モードをサポートすることができるユーザ装置のスケジューリングは、このような制約なしに、双方向での全てのタイムスロットを完全に利用することができる。このことは、スケジューリングの効率の改善を可能にし、システムリソース利用を改善し、性能の改善及び全体としてのセルラ通信システムの機能の改善を生じ得る。
【０１０８】
以下では、本発明のある実施例の詳細について、3GPPセルラ通信システムで頻繁に生じ得る基地局の３つの異なる二重機能の種類を特に参照して説明する。
【０１０９】
第１の基地局の種類は、不対のスペクトル通信のみをサポートすることができる不対の半二重の基地局である。不対のスペクトル通信は、本質的に半二重でなければならない（上りリンク及び下りリンク送信が同時に生じることができないため）。第２の種類は、対のスペクトルをサポートするが同じユーザ装置の上りリンク及び下りリンク送信が同時に生じないことを保証し得ない基地局である対の全二重のみのモードの基地局である。第３の種類は、半二重及び全二重の双方のユーザ装置をサポートすることができる（すなわち、単一の半二重のユーザ装置の上りリンク及び下りリンク送信が同時に生じないことを確保し得るスケジューリング機能を有する）対のスペクトルの基地局である。３つの異なるシナリオの例示的な動作について、個別に説明する。
【０１１０】
不対のスペクトルの半二重の基地局
この動作モードでは、基地局は、基地局が不対の動作モードをサポートすることを示す二重機能のメッセージをブロードキャストする。本質的に、不対の動作モード（TDDで使用される）は、半二重モードのみがサポートされることを生じる。
【０１１１】
ユーザ装置は、二重機能のメッセージをデコードし、特定のユーザ装置は、下りリンク搬送波と同じ搬送周波数でアクセスメッセージを送信するようにその送信機を構成し得る。通信を要求するアクセスメッセージは、ユーザ装置の二重機能の情報を更に有してもよいが、これは必須ではない。その理由は、基地局が半二重の不対のスペクトルモードのみ可能なユーザ装置が基地局に接続することを事前に認識しているからである。
【０１１２】
基地局は、このメッセージを受信し、半二重の不対のスペクトルモードのユーザ装置としてユーザ装置をスケジューリングする。
【０１１３】
全二重の対のスペクトルモードのユーザ装置は、不対のスペクトルの半二重の基地局に応答することができない（下りリンクと同じ搬送波で送信することができないため）。従って、この基地局に帰属することができない（従って、他の基地局を検索するように進む）。
【０１１４】
不対のスペクトルで動作する半二重モードのユーザ装置では、上りリンク送信は、下りリンク送信と異なる時間にスケジューリングされる。これは、不対のスペクトルでの半二重の動作に本質的である。このようなスケジューリングの例が図９に示されている。
【０１１５】
対のスペクトルの全二重のみの基地局
対のスペクトルの全二重のみの基地局は、全二重モードのみで動作可能であり、（例えば、上りリンク及び下りリンクスケジューラが完全に独立するという基地局の設計中のアーキテクチャ上の決定のため）同じユーザ装置の上りリンク及び下りリンク送信が同時に生じないことを保証し得ない基地局であると考えられる。
【０１１６】
この動作モードでは、基地局は、基地局が対のスペクトルで全二重のみをサポートすることを示す二重機能のメッセージをブロードキャストする。
【０１１７】
ユーザ装置は、二重機能のメッセージをデコードし、対のスペクトルの全二重モードの可能なユーザ装置は、適切な対の上りリンク搬送周波数でアクセスメッセージを送信するようにその送信機を構成し得る。通信を要求するアクセスメッセージは、ユーザ装置の二重機能の情報を更に有してもよいが、これは必須ではない。その理由は、基地局が全二重モードのみ可能なユーザ装置が基地局に接続することを事前に認識しているからである。
【０１１８】
半二重モードのみのユーザ装置は、基地局からのブロードキャスト信号をデコードし、特定の基地局が互換性がないことを決定する。従って、半二重モードのユーザ装置は、全二重モードのみの基地局に帰属しようとせず、帰属する他の基地局を検索するように進む。
【０１１９】
対のスペクトルの全二重のみの基地局でのスケジューリングは、全二重の規則に従って実行される（従って、上りリンク及び下りリンクのスケジューリングは完全に独立してもよい）。
【０１２０】
全二重モードのユーザ装置は、動作するために対のスペクトルを必要とする。全二重モードのユーザ装置は、上りリンク及び下りリンクで別々のスケジューラを用いてスケジューリングされ、これらの上りリンク及び下りリンクスケジューラは、（直交性の規則を維持する観点から）連結される必要はない。全二重モードのユーザ装置は、同時に上りリンクで送信して下りリンクで受信することができるが、ユーザ装置が同時に上りリンクを送信して下りリンクを受信することは必要とされない（従って、全二重のユーザ装置は、上りリンクリソースのみ、下りリンクリソースのみ、又は同じタイムスロットに上りリンク及び下りリンクリソースの双方を割り当てられてもよい）。
【０１２１】
全二重モードのユーザ装置を有するシステムでのスケジューリングの例が図１０に示されている。図１０は、基地局が独立の上りリンク及び下りリンクスケジューラで動作することができることを示している。この図面はまた、あるユーザ装置がタイムスロットで上りリンクリソースのみを割り当てられており、あるユーザ装置がタイムスロットで下りリンクリソースのみを割り当てられており、あるユーザ装置がタイムスロットで上りリンク及び下りリンクリソースの双方を割り当てられていることを示している。
【０１２２】
対のスペクトルの半二重及び全二重の基地局
対のスペクトルの半二重及び全二重の基地局は、対のスペクトルモードで動作する半二重モードのユーザ装置及び全二重モードのユーザ装置の双方にサービス提供することができる。
【０１２３】
この動作モードでは、基地局は、基地局が対のスペクトルで全二重及び半二重モードの双方をサポートすることを示す二重機能のメッセージをブロードキャストする。
【０１２４】
二重機能のメッセージは、半二重の不対のモードの可能なユーザ装置、半二重の対のモードの可能なユーザ装置、又は全二重の対のモードの可能なユーザ装置によりデコードされてもよい。半二重の不対のユーザ装置は、基地局と互換性がないことを決定し、他の基地局を検索するように進む。しかし、全二重及び半二重の対のスペクトルのユーザ装置は、基地局にアクセスするように進んでもよい。
【０１２５】
特に、全二重又は半二重モードのユーザ装置は、二重機能のメッセージが送信された下りリンク周波数と対になる上りリンク周波数で送信するようにその送信機を構成してもよい（上りリンク周波数は事前に知られてもよく、例えば二重機能のメッセージでシグナリングされてもよい）。
【０１２６】
ユーザ装置（半二重モード又は全二重モード）がネットワークに帰属したいと思うと、対の上りリンク搬送周波数を使用してアクセスメッセージを送信してもよい。このメッセージは、（とりわけ）ユーザ装置の二重機能の情報を有してもよい。
【０１２７】
二重機能の情報を受信すると、基地局スケジューラは、全二重モードのユーザ装置であるか半二重モードのユーザ装置であるかに基づいてユーザ装置をスケジューリングする。半二重モードのユーザ装置では、スケジューラは、ユーザ装置への下りリンクをスケジューリングするのと同時にユーザ装置からの上りリンクをスケジューリングしないことを確保する。全二重モードのユーザ装置では、スケジューラは、上りリンク及び下りリンクを独立してスケジューリングしてもよい。従って、半二重及び全二重モードの双方のユーザ装置が同じ基地局によりサービス提供され得る。
【０１２８】
このようなスケジューリング動作の例が図１１に示されている。
【０１２９】
ある実施例では、基地局は、半二重モードのユーザ装置により排他的に使用されるいくつかのタイムスロットを割り当て、全二重モードのユーザ装置により排他的に使用される他のタイムスロットを割り当ててもよいことがわかる。
【０１３０】
ある実施例では、基地局は、１つより多くの二重モードに共通する通信方式を使用して、呼設定手順をサポートしてもよい。具体的には、基地局は、上りリンクの対のスペクトルでアクセス要求メッセージを受信し、半二重通信を使用して（すなわち、上りリンク及び下りリンク送信がユーザ装置について同時に生じないことを確保しつつ）呼設定手順を続けてもよい。この手法は、呼設定手順の終わりまでユーザ装置の二重機能が基地局に送信されない実施例では特に適することがある。この例では、基地局がユーザ装置から二重機能のメッセージを受信するまで、基地局はユーザ装置に対して半二重モードで動作してもよい。
【０１３１】
従って、基地局は、ユーザ装置の観点から基本的に２段階で動作する。接続の初期段階では、基地局がユーザ装置の二重機能の情報を受信するまで、基地局は、ユーザ装置に対して厳密に半二重モードで動作することが好ましい。接続の初期段階の後に、基地局は、ユーザ装置の二重機能に応じて、特定のユーザ装置について全二重又は半二重モードで動作する。
【０１３２】
半二重モードのユーザ装置では、基地局は、如何なる個々のユーザ装置についても上りリンク及び下りリンクリソースが同時にスケジューリングされないように、ユーザ装置をスケジューリングする。しかし、基地局は、上りリンクの時間Tにユーザ装置の１つの集合と、下りリンクの時間Tにユーザ装置の他の集合とを同時にスケジューリングすることができるが、これらのユーザ装置の集合は重複してはならない。しかし、全二重のユーザ装置では、このような制約は必要ない。従って、スケジューラは、半二重モードのユーザ装置について上りリンク及び下りリンクの時間直交性の制約に従って通信をスケジューリングすることができ、全二重モードのユーザ装置について上りリンク及び下りリンクの時間直交性の制約なしに通信をスケジューリングすることができる。
【０１３３】
ある実施例では、基地局は、半二重のユーザ装置について少なくともいくつかの呼設定手順で全二重モードで動作してもよい。このような場合、半二重のユーザ装置は、上りリンク送信が必要とするタイムスロットでの下りリンクの送信を無視してもよい。
【０１３４】
図１２は、本発明のある実施例に従って対及び不対のスペクトルの双方をサポートすることができるユーザ装置の例示的な動作のフローチャートを示している。
【０１３５】
図１３は、本発明のある実施例に従って全二重及び半二重の双方の対のスペクトルをサポートすることができる基地局の例示的な動作のフローチャートを示している。
【０１３６】
ある実施例では、ユーザ装置は、通信又はアクセス要求メッセージで基地局に二重機能の情報を送信することができる。他の実施例では、ユーザ装置は、呼設定手順の他のメッセージで基地局に二重機能の情報を送信することができる。例えば、ユーザ装置は、基地局からユーザ装置に送信される通信設定メッセージの確認時に基地局に送信される通信確認メッセージで二重機能の情報を送信してもよい。
【０１３７】
簡潔にするため、通信要求又はアクセスメッセージは、CONREQメッセージと呼ばれ、通信設定メッセージはCONSETUPメッセージと呼ばれ、通信確認メッセージはCONCOMPLETEメッセージと呼ばれる。3GPPシステムでは、CONREQメッセージはRRC  CONNECTION  REQUESTメッセージでもよく、CONCOMPLETEメッセージはRRC  CONNECTION  SETUP  COMPLETEメッセージでもよい。
【０１３８】
CONREQでの二重機能のシグナリング
ユーザ装置の二重機能がCONREQメッセージで送信されるときに、RACH型チャネルを使用して送信されてもよい。CONREQメッセージは、基地局からのブロードキャスト送信が送信されるタイムスロット以外の（すなわち、直交する）タイムスロットで送信されることが好ましいが、このことは厳密には必要ではない。このような動作の例が図１４に示されている。
【０１３９】
代替として、CONREQメッセージは、基地局からの二重機能のメッセージに使用されるものと同じタイムスロットで送信されてもよい。このような手法は、全二重モードのユーザ装置に適するが、半二重モードのユーザ装置にはあまり適さず、半二重モードのユーザ装置がCONREQメッセージを送信するときに基地局からのブロードキャストをデコードすることを無視することを必要とする。このような動作の例が図１５に示されている。
【０１４０】
この例では、ユーザ装置は、ブロードキャストメッセージと同じタイムスロットでCONREQメッセージを送信することができ、更に、CONREQメッセージを送信するときであってもブロードキャストメッセージをデコードすることができる。
【０１４１】
図１６は、半二重モードのユーザ装置がCONREQメッセージを送信するタイムスロットでブロードキャスト信号をデコードしない場合の、半二重モードのユーザ装置の同じ種類の動作を示している（この種類の動作は、ブロードキャスト情報が絶えずリフレッシュされるため、ユーザ装置が将来に失ったブロードキャスト情報をデコードすることができる場合に受け入れることができる）。
【０１４２】
CONCOMPLETEでの二重機能のシグナリング
二重機能がCONCOMPLETEメッセージで送信される場合、CONCOMPLETE及びCONREQメッセージは、ブロードキャスト及びCONSETUPメッセージと異なるタイムスロットで送信されることが好ましい。CONCOMPLETEメッセージが基地局により受信されるまで異なるタイムスロットが使用される場合、ユーザ装置が実際に半二重であるか否かを示すメッセージが基地局により受信されるまで、基地局は、基本的には半二重モードの動作を仮定する。全二重のユーザ装置は、独断で下りリンクを受信することができるため又は独断で上りリンクを送信することができるため（同時に送信及び受信することもできる）、全二重モード及び半二重モードの双方のユーザ装置は、基地局がユーザ装置の二重機能を認識するまでサービス提供され得る（認識した時点で、基地局は、最適なモード（全二重又は半二重）でユーザ装置にサービス提供するように移行してもよい）。従って、基地局は、ユーザ装置から二重機能のメッセージを受信するまで、半二重モードでの動作を仮定する。
【０１４３】
CONCOMPLETEがユーザ装置の二重機能をシグナリングするために使用される場合に採用されるシグナリングシーケンスの例が図１７に示されている。この例では、シグナリングシーケンスは、上りリンクのCONREQ／CONCOMPLETEメッセージが基地局からのブロードキャスト又は呼設定メッセージと同じタイムスロットにならないようなものであり、従って、シグナリングシーケンスは半二重及び全二重モードの可能なユーザ装置にも同様に適用可能である。
【０１４４】
明瞭にするために、前記の説明は、異なる機能ユニット及びプロセッサを参照して本発明の実施例を説明したことがわかる。しかし、本発明を逸脱することなく、異なる機能ユニット又はプロセッサの間での何らかの適切な機能分散も使用され得ることが明らかである。例えば、別々のプロセッサ又はコントローラにより実行されるように示されている機能は、同じプロセッサ又はコントローラにより実行されてもよい。従って、特定の機能ユニットへの参照は、厳密な論理的又は物理的構造又は機構を示すのではなく、単に前記の機能を提供する適切な手段への参照としてみなされる。
【０１４５】
本発明は、ハードウェア、ソフトウェア、ファームウェア又はこれらの何らかの組み合わせを含む何らかの適切な形式で実装され得る。任意選択で、本発明は、１つ以上のデータプロセッサ及び／又はデジタル信号プロセッサで動作するコンピュータソフトウェアとして少なくとも部分的に実装されてもよい。本発明の実施例の要素及び構成要素は、何らかの適切な方法で物理的、機能的及び論理的に実装されてもよい。実際に、機能は、単一のユニットに実装されてもよく、複数のユニットに実装されてもよく、他の機能ユニットの一部として実装されてもよい。従って、本発明は単一のユニットに実装されてもよく、異なるユニット及びプロセッサの間に物理的且つ機能的に分散されてもよい。
【０１４６】
ある実施例に関して本発明を説明したが、ここに示した特定の形式に限定されることを意図するのではない。むしろ、本発明の範囲は、特許請求の範囲によってのみ限定される。更に、特徴は特定の実施例に関して記載しているように見える可能性があるが、記載の実施例の様々な特徴が本発明に従って組み合わされてもよいことを、当業者は認識する。請求項において、有するという用語は、他の要素又はステップの存在を除外しない。
【０１４７】
更に、個々に記載されているが、複数の手段、要素又は方法のステップは、例えば単一のユニット又はプロセッサにより実装されてもよい。更に、個々の機能が異なる請求項に含まれることがあるが、これらは場合によっては有利に結合されてもよく、異なる請求項への包含は、特徴の組み合わせが実現可能及び／又は有利でないことを示すのではない。また、請求項の１つのカテゴリへの特徴の包含は、このカテゴリへの限定を示すのではなく、必要に応じて特徴が他の請求項のカテゴリへも同様に適用可能であることを示す。更に、請求項の特徴の順序は、特徴が動作しなければならない特定の順序を示すのではなく、特に、方法のステップでの個々のステップの順序は、ステップがこの順序で実行されなければならないことを示すのではない。むしろ、ステップは如何なる適切な順序で実行されてもよい。更に、単数への言及は複数を除外しない。
【図面の簡単な説明】
【０１４８】
【図１】従来技術によるセルラ通信システムの例
【図２】本発明の或る実施例によるセルラ通信システムの例
【図３】対のスペクトルで使用される周波数の例
【図４】不対のスペクトルで使用される周波数の例
【図５】TDD動作でのランダムアクセスチャネルを決定する方法
【図６】FDD動作でのランダムアクセスチャネルを決定する方法
【図７】本発明のある実施例による基地局の例
【図８】本発明のある実施例によるユーザ装置の例
【図９】半二重の不対のスペクトルの二重モードでのスケジューリングの例
【図１０】全二重の対のスペクトルの二重モードでのスケジューリングの例
【図１１】半二重の対のスペクトルの二重モードでのスケジューリングの例
【図１２】本発明のある実施例によるユーザ装置の例示的な動作のフローチャート
【図１３】本発明のある実施例による基地局の例示的な動作のフローチャート
【図１４】本発明のある実施例によるシグナリングシーケンス
【図１５】本発明のある実施例によるシグナリングシーケンス
【図１６】本発明のある実施例によるシグナリングシーケンス
【図１７】本発明のある実施例によるシグナリングシーケンス
【図１】
2009505538.tif 000003
【図２】
2009505538.tif 000004
【図３】
2009505538.tif 000005
【図４】
2009505538.tif 000006
【図５】
2009505538.tif 000007
【図６】
2009505538.tif 000008
【図７】
2009505538.tif 000009
【図８】
2009505538.tif 000010
【図９】
2009505538.tif 000011
【図１０】
2009505538.tif 000012
【図１１】
2009505538.tif 000013
【図１２】
2009505538.tif 000014
【図１３】
2009505538.tif 000015
【図１４】
2009505538.tif 000016
【図１５】
2009505538.tif 000017
【図１６】
2009505538.tif 000018
【図１７】
2009505538.tif 000019
【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
ユーザ装置をサポートする基地局を有するセルラ通信システムであって、
少なくとも第１のユーザ装置にサービス提供し、複数の二重モードのうちいずれかを使用してユーザ装置に基地局の二重機能のメッセージを送信する手段を有する第１の基地局を有し、
前記基地局の二重機能のメッセージは共通の送信フォーマットを使用し、
前記共通の送信フォーマットは前記複数の二重モードに共通するセルラ通信システム。
【請求項２】
前記複数の二重モードのうち第１のものは、対の上りリンク及び下りリンク周波数の搬送波を使用する対のスペクトルの二重モードであり、
前記複数の二重モードのうち第２のものは、上りリンク及び下りリンクについて単一の周波数の搬送波を使用する不対のスペクトルの二重モードである、請求項１に記載のセルラ通信システム。
【請求項３】
前記複数の二重モードのうち第１の二重モードは半二重モードであり、
前記複数の二重モードのうち第２の二重モードは全二重モードである、請求項１に記載のセルラ通信システム。
【請求項４】
前記第１及び第２の二重モードは、対のスペクトルの二重モードである、請求項３に記載のセルラ通信システム。
【請求項５】
前記共通の送信フォーマットは、
a.チャネル帯域、
b.符号化率、
c.変調方式、
d.インターリーブ、
e.符号化方式、及び
f.タイミング
を有するグループから１つ以上の共通の送信パラメータを有する、請求項１ないし４のうちいずれか１項に記載のセルラ通信システム。
【請求項６】
前記第１のユーザ装置は、
前記基地局の二重機能のメッセージを受信する手段と、
前記基地局の二重機能のメッセージを１回デコードする手段と
を有する、請求項１ないし５のうちいずれか１項に記載のセルラ通信システム。
【請求項７】
前記第１のユーザ装置は、
前記基地局の二重機能のメッセージに応じてアクセスメッセージの少なくとも１つの送信特性を決定する手段と、
前記少なくとも１つの送信特性を使用して前記第１の基地局に前記アクセスメッセージを送信する手段と
を更に有する、請求項６に記載のセルラ通信システム。
【請求項８】
前記少なくとも１つの送信特性を決定する手段は、前記第１の基地局が不対のスペクトルの二重モード動作のみをサポートすることを前記基地局の二重機能のメッセージが示す場合、前記基地局の二重機能のメッセージの搬送周波数として前記アクセスメッセージの搬送周波数を決定し、前記第１の基地局が対のスペクトルの二重モード動作をサポートすることを前記基地局の二重機能のメッセージが示す場合、前記基地局の二重機能のメッセージの搬送周波数と対になっている周波数として前記搬送周波数を決定するように構成される、請求項７に記載のセルラ通信システム。
【請求項９】
前記第１のユーザ装置は、
前記基地局の二重機能のメッセージに応じて前記第１の基地局の二重機能を決定する手段と、
前記第１のユーザ装置の二重機能と前記第１の基地局の二重機能との間の合致基準を評価する手段と
を有し、
前記第１のユーザ装置は、前記合致基準が満たされた場合にのみ、前記第１の基地局にアクセスメッセージを送信するように構成される、請求項１ないし８のうちいずれか１項に記載のセルラ通信システム。
【請求項１０】
前記第１のユーザ装置は、ユーザ装置の二重機能の特性を前記第１の基地局に送信する手段を有する、請求項１ないし９のうちいずれか１項に記載のセルラ通信システム。
【請求項１１】
前記ユーザ装置の二重機能の特性に応じて前記第１のユーザ装置の通信をスケジューリングするスケジューラを更に有する、請求項１０に記載のセルラ通信システム。
【請求項１２】
前記ユーザ装置の二重機能は、半二重モード又は全二重モードをサポートする前記第１のユーザ装置の機能を示す、請求項１１に記載のセルラ通信システム。
【請求項１３】
前記半二重モード及び前記全二重モードは、対のスペクトルの二重モードである、請求項１２に記載のセルラ通信システム。
【請求項１４】
前記スケジューラは、前記半二重モードでは上りリンク及び下りリンクの時間直交性の制約に従って通信をスケジューリングし、前記全二重モードでは上りリンク及び下りリンクの時間直交性の制約なしに通信をスケジューリングするように構成される、請求項１２又は１３に記載のセルラ通信システム。
【請求項１５】
前記第１のユーザ装置は、アクセスメッセージに前記ユーザ装置の二重機能の特性を含めるように構成される、請求項１０ないし１４のうちいずれか１項に記載のセルラ通信システム。
【請求項１６】
前記第１のユーザ装置は、通信確認メッセージに前記ユーザ装置の二重機能の特性を含めるように構成される、請求項１０ないし１４のうちいずれか１項に記載のセルラ通信システム。
【請求項１７】
前記複数の二重モードに共通の通信方式を使用して呼設定手順をサポートする手段を更に有する、請求項１ないし１６のうちいずれか１項に記載のセルラ通信システム。
【請求項１８】
前記第１の基地局は、二重機能の特性が前記第１のユーザ装置から受信されるまで、半二重動作モードを使用して呼設定処理中に前記第１のユーザと通信するように構成される、請求項１ないし１７のうちいずれか１項に記載のセルラ通信システム。
【請求項１９】
前記第１の基地局は、半二重動作モードを使用して呼設定処理中に前記第１のユーザと通信するように構成され、
前記第１のユーザ装置は、前記第１のユーザから前記第１の基地局への上りリンク送信に使用される時間間隔での下りリンク送信を無視するように構成される、請求項１ないし１８のうちいずれか１項に記載のセルラ通信システム。
【請求項２０】
3GPP技術仕様書（3rd Generation  Partnership  Project  Technical  Specification）に従った通信をサポートするように構成される、請求項１ないし１９のうちいずれか１項に記載のセルラ通信システム。
【請求項２１】
GSM勧告（Global  System  for  Mobile  communication  system  Recommendation）に従った通信をサポートするように構成される、請求項１ないし２０のうちいずれか１項に記載のセルラ通信システム。
【請求項２２】
ユーザ装置をサポートする基地局を有するセルラ通信システムでの動作方法であって、
第１の基地局が少なくとも第１のユーザ装置にサービス提供し、
前記第１の基地局が複数の二重モードのうちいずれかを使用してユーザ装置に基地局の二重機能のメッセージを送信し、
前記基地局の二重機能のメッセージは共通の送信フォーマットを使用し、
前記共通の送信フォーマットは前記複数の二重モードに共通することを有する方法。
【請求項２３】
ユーザ装置をサポートする基地局を有するセルラ通信システムのユーザ装置の動作方法であって、
複数の二重モードのうちいずれかを使用して第１の基地局から基地局の二重機能のメッセージを受信し、
前記基地局の二重機能のメッセージは共通の送信フォーマットを使用し、
前記共通の送信フォーマットは前記複数の二重モードに共通し、
前記基地局の二重機能のメッセージを１回デコードすることを有する方法。
【請求項２４】
前記基地局の二重機能のメッセージに応じてアクセスメッセージの少なくとも１つの送信特性を決定し、
前記少なくとも１つの送信特性を使用して前記第１の基地局に前記アクセスメッセージを送信することを更に有する、請求項２３に記載の方法。
【請求項２５】
複数のユーザ装置（UE）をサポートする基地局を有するセルラ通信システムで、少なくとも第１のUEをサポートする基地局であって
複数の二重モードのうちいずれかを使用して前記複数のUEに基地局の二重機能のメッセージを送信するロジックを特徴とし、
前記基地局の二重機能のメッセージは共通の送信フォーマットを使用し、
前記共通の送信フォーマットは前記複数の二重モードに共通する基地局。
【請求項２６】
セルラ通信システムでの第１のユーザ装置（UE）であって、
基地局の二重機能のメッセージを受信するロジックを特徴とし、
前記基地局の二重機能のメッセージは共通の送信フォーマットを使用し、
前記共通の送信フォーマットは、前記複数の二重モードに共通する第１のユーザ装置。
【国際調査報告】
2009505538.tif 000020
2009505538.tif 000021